(57)【要約】【課題】端子金具を容易に固定することができる端子固定構造及びこの端子固定構造を備えた電気接続箱を提供する。【解決手段】電気接続箱１は端子固定部１２を備えている。端子固定部１２は端子金具１１の電気接触部１３が載置される載置部４６を有した取付部４５と載置部４６に締結されて載置部４６との間に電気接触部１３を挟んで固定するボルト１０と取付部４５から凸に設けられかつボルト１０よりも載置部４６から突出しているとともに電気接触部１３の貫通孔１３ａの内側に係止する係止部４８を備えている。【選択図】図６
2009170357.tif 000002
【特許請求の範囲】
【請求項１】
端子金具の電気接触部が載置される載置部を有した取付部と、
前記載置部に締結されて、当該載置部との間に前記電気接触部を挟んで固定する締結部材と、を備えた端子固定構造において、
前記電気接触部が、前記載置部上に重ねられる被載置部と、当該被載置部から立設した立設部とを備え、前記被載置部と前記立設部とに亘って前記締結部材を通すことが可能な貫通孔が設けられているとともに、
前記取付部から凸に設けられ、かつ前記締結部材よりも前記載置部から突出しているとともに、前記貫通孔の内側に係止する係止部を備えたことを特徴とする端子固定構造。
【請求項２】
前記貫通孔の内縁と前記係止部とのうち一方から凸に形成されたガイド突起と、前記他方に設けられかつ前記ガイド突起が侵入するガイド溝とを備えたことを特徴とする請求項１記載の端子固定構造。
【請求項３】
請求項２に記載された端子固定構造を備えたことを特徴とする電気接続箱。
【請求項４】
前記端子固定構造を複数備え、これら複数の端子固定構造同士は、前記ガイド突起と前記ガイド溝とが互いに異なる位置に配置されていることを特徴とする請求項３記載の電気接続箱。
【発明の詳細な説明】
【技術分野】
【０００１】
本発明は、ボルトなどの締結部材をナットに螺合することで端子金具を固定する端子固定構造及びこの端子固定構造を備えた電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１）とも呼ばれる。本明細書では、前述したヒューズブロック、リレーボックス、ジャンクションブロックを、総称して以下電気接続箱と呼ぶ。
【０００５】
前述した特許文献１に示された電気接続箱は、外郭を形成する箱本体と、配線ブロックとを備えている。箱本体は、絶縁性の合成樹脂で構成されて、箱状に形成されている。箱本体には、リレーやヒューズなどの電気部品が装着される装着部と、ワイヤハーネスのコネクタが嵌合するコネクタ嵌合部とが設けられている。
【０００６】
配線ブロックは、箱本体内に収容されて、箱本体に装着されたリレーやヒューズなどの電気部品と、当該箱本体に嵌合したワイヤハーネスのコネクタの端子とを予め定められたパターンにしたがって、互いに電気的に接続する。
【０００７】
また、前述した特許文献１に示された電気接続箱は、バッテリや発電機などの電源からの電力が供給される端子固定構造を備えている。端子固定構造は、箱本体に設けられかつナットが埋設された取付部と、前述したナットに螺合して前記電源などと接続した端子金具の電気接触部を前記取付部との間に挟んで固定する締結部材としてのボルトと、を備えている。
【０００８】
前述した端子金具の電気接触部は、前記取付部上に重ねられて、当該取付部とボルトとの間に挟まれて固定される被載置部と、前記被載置部から立設した立設部とを備え、前記被載置部と前記立設部とに亘って前述したボルトの頭などを通す貫通孔が設けられている。
【０００９】
さらに、取付部には、前記端子金具の電気接触部に設けられた貫通孔内に係止する係止部が設けられている。
【特許文献１】特開２００６−４７３３号公報
【発明の開示】
【発明が解決しようとする課題】
【００１０】
前述した特許文献１に示された係止部は、その厚みが薄く形成されており、その係止部がボルトの頭よりも取付部寄りに配置されている。このため、ボルトをナットにねじ込む前では、係止部が電気接触部の貫通孔内に係止した状態であっても、電気接触部即ち端子金具が取付部に対してがたつき易く、電気接触部即ち端子金具を取付部に位置決めすることが困難で、ボルトをねじ込み難いという問題があった。即ち、当該電気接触部即ち端子金具を固定しにくいという問題があった。
【００１１】
したがって、本発明の目的は、端子金具を容易に固定することができる端子固定構造及びこの端子固定構造を備えた電気接続箱を提供することにある。
【課題を解決するための手段】
【００１２】
前記課題を解決し目的を達成するために、請求項１に記載の本発明の端子固定構造は、端子金具の電気接触部が載置される載置部を有した取付部と、前記載置部に締結されて、当該載置部との間に前記電気接触部を挟んで固定する締結部材と、を備えた端子固定構造において、前記電気接触部が、前記載置部上に重ねられる被載置部と、当該被載置部から立設した立設部とを備え、前記被載置部と前記立設部とに亘って前記締結部材を通すことが可能な貫通孔が設けられているとともに、前記取付部から凸に設けられ、かつ前記締結部材よりも前記載置部から突出しているとともに、前記貫通孔の内側に係止する係止部を備えたことを特徴としている。
【００１３】
請求項２に記載の本発明の端子固定構造は、請求項１記載の端子固定構造において、前記貫通孔の内縁と前記係止部とのうち一方から凸に形成されたガイド突起と、前記他方に設けられかつ前記ガイド突起が侵入するガイド溝とを備えたことを特徴としている。
【００１４】
請求項３に記載の本発明の電気接続箱は、請求項２記載の端子固定構造を備えたことを特徴としている。
【００１５】
請求項４に記載の本発明の電気接続箱は、請求項３記載の電気接続箱において、前記端子固定構造を複数備え、これら複数の端子固定構造同士は、前記ガイド突起と前記ガイド溝とが互いに異なる位置に配置されていることを特徴としている。
【００１６】
請求項１に記載した本発明の端子固定構造によれば、端子金具の貫通孔内に係止する係止部が、締結部材よりも取付部の載置部から突出しているので、係止部が貫通孔内に係止すると、端子金具が取付部に対してがたつき難くなる。
【００１７】
請求項２に記載した本発明の端子固定構造によれば、貫通孔の内縁と係止部との一方にガイド突起が設けられ、他方にガイド溝が設けられているので、端子金具を取付部に取り付ける際に、これらのガイド突起とガイド溝とで、端子金具を取付部に案内することができる。
【００１８】
請求項３に記載した本発明の電気接続箱によれば、前述した端子固定構造を備えているので、係止部が貫通孔内に係止すると、端子金具が取付部に対してがたつき難くなる。
【００１９】
請求項４に記載した本発明の電気接続箱によれば、複数の端子固定構造同士のガイド突起とガイド溝の位置が互いに異なるので、端子金具を誤ることなく所望の端子固定構造の取付部に取り付けることができる。
【発明の効果】
【００２０】
以上説明したように請求項１に記載の本発明は、係止部が貫通孔内に係止すると、端子金具が取付部に対してがたつき難くなるので、締結部材を完全に締結する際にも、勿論、端子金具ががたつくことを防止できる。したがって、締結部材を容易に締結即ち端子金具を取付部に容易に固定することができる。
【００２１】
請求項２に記載の本発明は、端子金具を取付部に取り付ける際に、ガイド突起とガイド溝とで端子金具を取付部に案内することができるので、端子金具を取付部に容易に取り付けることができる。したがって、端子金具を取付部により容易に固定することができる。
【００２２】
請求項３に記載の本発明は、前述した端子固定構造を備えているので、端子金具を取付部に容易に固定することができる。
【００２３】
請求項４に記載の本発明は、複数の端子固定構造同士がガイド突起とガイド溝の位置が互いに異なるので、端子金具を誤ることなく所望の端子固定構造の取付部に取り付けることができる。
【発明を実施するための最良の形態】
【００２４】
以下、本発明の一実施形態にかかる電気接続箱を、図１ないし図７に基づいて説明する。本実施形態にかかる図１に示す電気接続箱１は、移動体としての自動車に搭載される。
【００２５】
電気接続箱１は、図１に示すように、箱本体２と、図示しないアッパカバーと、ロアカバー６と、カバー部材としてのサイドカバー７と、配線ブロック３と、端子固定構造としての端子固定部１２を備えている。
【００２６】
箱本体２は、絶縁性の合成樹脂で構成され、周知の射出成型によって成型される。箱本体２は、図２に示すように、互いに連なる複数の外壁８により箱状に形成されている。また、箱本体２には、該箱本体２内を仕切る隔壁９が設けられている。
【００２７】
さらに、箱本体２の図２中の上方側の表面（以下、上面と呼ぶ）には、電気部品としてのリレー２０やヒューズなどが装着される装着部と、配線ブロック３の後述するバスバ２１，２２を収容するスリット状のバスバ収容溝とが設けられ、図２中の下方側の表面（以下、下面と呼ぶ）には、図示しないワイヤハーネスのコネクタが嵌合するコネクタ嵌合部が設けられている。
【００２８】
ワイヤハーネスは、勿論、複数の電線と、該電線の端末に取り付けられたコネクタなどを備えている。コネクタは、前述したコネクタ嵌合部や自動車に搭載される各種の電子機器に嵌合する。また、箱本体２は、前述した装着部に装着された電気部品と、コネクタ嵌合部に嵌合したワイヤハーネスのコネクタの端子と、を予め定められたパターンにしたがって、電気的に接続するバスバなどを更に収容している。
【００２９】
アッパカバーは、絶縁性の合成樹脂で構成され、周知の射出成型によって成型される。アッパカバーは、互いに連なる複数の外壁を備えて、有底筒状に形成されている。アッパカバーは、箱本体２の上面を覆う状態で、該箱本体２に取り付けられる。
【００３０】
ロアカバー６は、絶縁性の合成樹脂で構成され、周知の射出成型によって成型される。ロアカバー６は、図１及び図３に示すように、互いに連なる複数の外壁１４を備えて、有底筒状に形成されている。ロアカバー６は、箱本体２の下面を覆う状態で、該箱本体２に取り付けられる。
【００３１】
サイドカバー７は、絶縁性の合成樹脂で構成され、周知の射出成形により成形される。サイドカバー７は、箱本体２に取り付けられて、この箱本体２に設けられた後述する端子固定部１２を覆う。
【００３２】
サイドカバー７は、図１及び図２に示すように、箱本体２に取り付けられると当該箱本体２の外壁８と間隔をあける離間壁１５と、当該離間壁１５の端に連なりかつ箱本体２に取り付けられると当該箱本体２の上面と間隔をあける上壁部１６と、前記離間壁１５と上壁部１６との双方の両縁から立設して前記外壁８と接触する側壁部４０とを一体に備えている。サイドカバー７は、箱本体２に取り付けられて、端子固定部１２とこの端子固定部１２に取り付けられた後述する端子金具１１とを覆う。
【００３３】
さらに、サイドカバー７は、図５に示すように、立設壁４１と、塞ぎ部４２とを一体に備えている。立設壁４１は、離間壁１５から箱本体２の外壁８に向かって立設しているとともに、サイドカバー７が箱本体２に取り付けられると、二つの端子固定部１２間に位置付けられる。立設壁４１は、サイドカバー７が箱本体２に取り付けられる際に、当該サイドカバー７が箱本体２に近づけられる方向に沿って直線状に延在している。
【００３４】
塞ぎ部４２は、立設壁４１の離間壁１５から最も離れた先端に設けられている。塞ぎ部４２は、前述したサイドカバー７が箱本体２に取り付けられる際に、当該サイドカバー７が箱本体２に近づけられる方向に沿って直線状に延在しており、離間壁１５の全長に亘って設けられている。塞ぎ部４２の上壁部１６から離れた側の先端部には、上壁部１６から離れるのにしたがって当該塞ぎ部４２を徐々に細くするテーパ部４３が設けられている。さらに、塞ぎ部４２の外壁８と相対する面４２ａは、当該外壁８に沿って平坦に形成されている。
【００３５】
また、前述した箱本体２は、その内側にヒューズ収容室が設けられている。ヒューズ収容室は、箱本体２内に設けられた空間であり、箱本体２に取り付けられた配線ブロック３の後述するヒューズ２３を収容する空間である。ヒューズ収容室は、箱本体２内の隔壁９と図１乃至図３中手前側の一つの外壁８によって囲まれて形成されている。
【００３６】
このヒューズ収容室を構成する箱本体２の外壁８には、図２、図３及び図４などに示すように、のぞき孔１９と、位置ずれ防止部としての係止受け部４４とが設けられている。
【００３７】
のぞき孔１９は、図３及び図４に示すように、外壁８の二つ（複数）の端子固定部１２即ち当該端子固定部１２に取り付けられる後述する二つ（複数）の端子金具１１間に位置する位置に配置されている。のぞき孔１９は、前述したボルト１０の長手方向に沿って直線状に延在した長孔であり、ヒューズ収容室内に収容されたヒューズ２３即ち箱本体２の内部を箱本体２の外側から視認可能としている。また、のぞき孔１９は、図中の上方から前記ヒューズ２３即ち箱本体２の内部を箱本体２の外側から視認可能としている。また、のぞき孔１９は、箱本体２に取り付けられたサイドカバー７の離間壁１５及び側壁部４０とによって覆われる。
【００３８】
係止受け部４４は、外壁８から凸に形成され、端子固定部１２との間にのぞき孔１９を位置付ける位置に配置されている。係止受け部４４は、両端が外壁８に連なって、当該外壁８から凸のアーチ状に形成されている。係止受け部４４は、サイドカバー７が箱本体２に取り付けられると、その内側に塞ぎ部４２の前述した先端部が侵入する位置に配置されている。係止受け部４４は、その内側に塞ぎ部４２の前述した先端部を侵入させて、当該塞ぎ部４２の位置ずれを防止する。
【００３９】
また、係止受け部４４は、その内側に塞ぎ部４２を位置づけると、この塞ぎ部４２の前述した面４２ａを外壁８に密に重ねて、当該塞ぎ部４２にのぞき孔１９を塞がせる。このように、塞ぎ部４２が、サイドカバー７が箱本体２に取り付けられると、前述したのぞき孔１９を塞ぐとともに、立設壁４１が二つの端子金具１１間に位置して、これら二つの端子金具１１同士を電気的に絶縁する。
【００４０】
配線ブロック３は、図２に示すように、第１のバスバ２１と、第２のバスバ２２と、これらのバスバ２１，２２同士を接続したヒューズ２３と、を備えている。
【００４１】
第１のバスバ２１と第２のバスバ２２は、それぞれ、導電性の板金で構成されている。これらのバスバ２１，２２は、互いに構成が略等しいので、以下、同一部分には同一符号を付して説明する。
【００４２】
バスバ２１，２２は、図２に示すように、それぞれ、電気部品接続部２４と、電源接続部２５とを備えている。電気部品接続部２４は、互いに平行な一対の平行部２６と、該平行部２６の端同士を連結した連結部２７とを備えて、平面形状がコ字状に形成されている。平行部２６には、箱本体２の装着部内に位置して、前述したリレー２０やヒューズなどと接続する端子部２８が複数設けられている。
【００４３】
電源接続部２５は、ヒューズ接続部としてのヒューズ接続片２９と、接続部としての接続片３０とを一体に備えている。ヒューズ接続片２９は、帯板状に形成されており、電気部品接続部２４の連結部２７に重ねられて取り付けられている。ヒューズ接続片２９には、ヒューズ固定用のボルト３１が螺合するナットが一体に形成されている。
【００４４】
接続片３０は、ヒューズ接続片２９の図２中の上方に位置する縁から立設している。このため、ヒューズ接続片２９は、接続片３０とボルト１０の長手方向に沿って重なる位置に配置されている。即ち、ヒューズ接続片２９は、接続部としての接続片３０の近傍に配置されている。接続片３０には、ボルト１０のねじ部を通す貫通孔３３が設けられている。
【００４５】
第１のバスバ２１の電源接続部２５の接続片３０には、第１の電源としての発電機と電線３４を介して接続した端子金具１１が取り付けられる。第２のバスバ２２の電源接続部２５の接続片３０には、第２の電源としてのバッテリと電線３４を介して接続した端子金具１１が取り付けられる。
【００４６】
ヒューズ２３は、可溶体を含んだ本体部３５と、この本体部３５から互いに離れる方向に延在した一対の端子部３６とを備えている。端子部３６には、各々、ヒューズ接続用のボルト３１を通す孔が設けられている。一対の端子部３６は、勿論、可溶体と連結している。
【００４７】
ヒューズ２３は、一方の端子部３６が第１のバスバ２１の電源接続部２５のヒューズ接続片２９に重ねられ、他方の端子部３６が第２のバスバ２２の電源接続部２５のヒューズ接続片２９に重ねられて、孔を通ったボルト３１が前述したナットに螺合することで、バスバ２１，２２同士を接続して、これらのバスバ２１，２２に取り付けられる。ヒューズ２３は、バスバ２１，２２間を流れる電流が、予め定められた電流値を超えると、可溶体が溶断して、バスバ２１，２２間の電流の流れを遮断する。
【００４８】
前述した配線ブロック３は、バスバ収容溝内にバスバ２１，２２の主に電気部品接続部２４が収容され、電源接続部２５のヒューズ接続片２９及びヒューズ２３がヒューズ収容室内に収容され、電源接続部２５の接続片３０が端子固定部１２上に重ねられて、箱本体２に取り付けられる。そして、配線ブロック３は、図３及び図４に示すように、端子固定部１２に端子金具１１が取り付けられることで、端子金具１１及び電線３４を介して、発電機及びバッテリと接続される。
【００４９】
また、配線ブロック３は、箱本体２の装着部に電気部品が装着され、コネクタ嵌合部にワイヤハーネスのコネクタが嵌合すると、前述した電源と電気部品とワイヤハーネスが接続した各種の電子機器とをあらかじめ定められたパターンにしたがって電気的に接続する。そして、配線ブロック３は、電源からの電力を、電気部品を介して各種の電子機器に供給する。
【００５０】
端子固定部１２は、図４及び図６に示すように、複数（図示例では、二つ）設けられている。二つの端子固定部１２は、箱本体に設けられた前述したバスバ収容溝の端に、互いに並設されて設けられている。端子固定部１２は、図６及び図７に示すように、箱本体２の上面に設けられた取付部４５と、締結部材としてのボルト１０と、を備えている。
【００５１】
取付部４５は、図２に示すように、その表面が箱本体２の上面に沿って平坦に形成された載置部４６と、当該載置部４６の箱本体２の中央寄りの端から立設した立設壁部４７と、係止部４８とを備えている。載置部４６には、図示しないナットが埋設されているとともに、その表面上に配線ブロック３のバスバ２１，２２の電源接続部２５の接続片３０が載置される。
【００５２】
さらに、載置部４６には、接続片３０上に更に端子金具１１の電気接触部１３の被載置部５１が重ねられる。このように、載置部４６には、接続片３０を介して電気接触部１３の被載置部５１が重ねられる。
【００５３】
係止部４８は、図７に示すように、載置部４６の立設壁部４７寄りの端部に設けられているとともに、当該載置部４６から立設している。係止部４８は、端子金具１１の後述する貫通孔１３ａの内縁に係止する係止爪４９を一対備えている。ボルト１０は、そのねじ部がナットに螺合すること（即ち、載置部４６に締結されること）で、その頭が載置部４６との間に端子金具１１の電気接触部１３の被載置部５１を挟んで固定する。
【００５４】
また、図６に示すように、ボルト１０がナットにねじ込まれて頭が載置部４６との間に被載置部５１を挟んで固定すると、係止部４８の載置部４６からの突出量Ｔ１がボルト１０の頭の突出量Ｔ２よりも大きくなっている。このように、係止部４８は、ボルト１０がナットにねじ込まれて頭が載置部４６との間に被載置部５１を挟んで固定すると、ボルト１０の頭よりも載置部４６から突出する。
【００５５】
端子金具１１は、端子固定部１２と１対１で対応している。端子金具１１は、厚手の板金が折り曲げられるなどして得られる。端子金具１１は、図２に示すように、電気接触部１３と、電線接続部５０とを一体に備えている。
【００５６】
電気接触部１３は、前記載置部４６上に重ねられる平板状の被載置部５１と、平板状の立設部５２とを備えている。立設部５２は、被載置部５１の端から立設している。被載置部５１と立設部５２とに亘って、内側にナットに一部螺合したボルト１０を通すことが可能な貫通孔１３ａが設けられている。また、貫通孔１３ａは、被載置部５１の立設部５２が立設した端から被載置部５１の内側に向かって直線状に延在している。電気接触部１３は、被載置部５１が接続片３０を介して載置部４６上に重ねられる。
【００５７】
電線接続部５０は、電気接触部１３から折り曲げられて、該電気接触部１３の被載置部５１の立設部５２から最も離れた端から立設している。なお、図示例では、電線接続部５０と電気接触部１３とのなす角度は、略９０度である。また、電線接続部５０は、立設部５２とは逆向きに、前述した電気接触部１３の被載置部５１の端から立設している。
【００５８】
電線接続部５０は、電線３４を加締めて、該電線３４が取り付けられるとともに、電線３４と電気的に接続される。
【００５９】
前述した端子金具１１は、電線接続部５０に電線３４が取り付けられて、後述するガイド突起５３とガイド溝５４によって案内されて、電気接触部１３が端子固定部１２の載置部４６上のバスバ２２，２１の接続片３０上に重ねられるとともに、貫通孔１３ａ内に係止部４８が侵入して、貫通孔１３ａ内に係止部４８の係止爪４９が係止する。
【００６０】
そして、貫通孔１３ａ内にボルト１０のねじ部が挿入されて、端子金具１１は、ボルト１０のねじ部が貫通孔１３ａの内縁に当接した状態で、ボルト１０がナットにねじ込まれて、電気接触部１３の被載置部５１が載置部４６上の接続片３０とボルト１０の頭との間に挟まれて端子固定部１２に取り付けられる。
【００６１】
また、各々端子固定部１２は、図６に示すように、ガイド突起５３と、ガイド溝５４とを備えている。ガイド突起５３は、係止部４８から凸に形成されており、平坦な壁状に形成されている。ガイド溝５４は、端子金具１１の電気接触部１３の貫通孔１３ａの内縁に設けられ、当該内縁を切り欠いて形成されている。ガイド溝５４は、内側にガイド突起５３が通ることが可能でかつ当該ガイド突起５３と合致する形状に形成されている。これらのガイド突起５３とガイド溝５４は、端子金具１１が端子固定部１２に取り付けられる際に、ガイド突起５３がガイド溝５４内に侵入して、端子金具１１を案内する。
【００６２】
さらに、二つの端子固定部１２同士では、前述したガイド突起５３とガイド溝５４とが互いに異なる位置に設けられている。図示例では、図６及び図７に示すように、図中右側の端子固定部１２では、ガイド溝５４及びガイド突起５３が端子金具１１の幅方向の中央よりも右寄りに配置され、図中左側の端子固定部１２では、ガイド溝５４及びガイド突起５３が端子金具１１の幅方向の中央よりも左寄りに配置されている。
【００６３】
端子固定部１２は、その取付部４５の載置部４６上にバスバ２１，２２の接続片３０と端子金具１１の電気接触部１３の被載置部５１とが順に重ねられて、当該接続片３０に設けられた貫通孔３３と電気接触部１３の貫通孔１３ａ内を通ったボルト１０が前記ナットにねじ込まれることで、端子金具１１の電気接触部１３を接続片３０とボルト１０の頭との間に挟んで、該端子金具１１を取り付ける。
【００６４】
前述した電気接続箱１は、自動車に搭載されて、当該自動車が通常の状態で走行する際などには、サイドカバー７が箱本体２に取り付けられて、塞ぎ部４２がのぞき孔１９を塞ぐとともに、係止受け部４４によって塞ぎ部４２の位置ずれが防止される。また、電気接続箱１は、前述した自動車の点検などの際に、サイドカバー７が箱本体２から取り外されて、のぞき孔１９を通して箱本体２内のヒューズ２３が溶断しているか否かが確認される。
【００６５】
本実施形態によれば、端子金具１１の貫通孔１３ａ内に係止する係止部４８が、締結部材としてのボルト１０よりも取付部４５の載置部４６から突出しているので、係止部４８が貫通孔１３ａ内に係止すると、端子金具１１が取付部４５に対してがたつき難くなる。このため、ボルト１０を締結（即ちナットに螺合）する際にも、勿論、端子金具１１ががたつくことを防止できる。したがって、ボルト１０を容易に締結（螺合）即ち端子金具１１を取付部４５に容易に固定することができる。
【００６６】
また、係止部４８にガイド突起５３が設けられ、貫通孔１３ａの内縁にガイド溝５４が設けられているので、端子金具１１を取付部４５に取り付ける際に、これらのガイド突起５３とガイド溝５４とで、端子金具１１を取付部４５に案内することができる。このため、端子金具１１を取付部４５に容易に取り付けることができる。したがって、端子金具１１を取付部４５により容易に固定することができる。
【００６７】
さらに、前述した電気接続箱１は、前述した端子固定部１２を備えているので、端子金具１１を取付部４５に容易に固定することができる。
【００６８】
複数の端子固定部１２同士のガイド突起５３とガイド溝５４の位置が互いに異なっているので、端子金具１１を誤ることなく所望の端子固定部１２の取付部４５に取り付けることができる。
【００６９】
前述した実施形態では、箱本体２内のヒューズ２３が溶断しているか否かを確認するために、箱本体２の内部を視認可能とするのぞき孔１９を設けている。しかしながら、本発明では、ヒューズ２３に限らず、種々の用途で箱本体２の内部を視認可能とするためにのぞき孔１９を用いても良いことは、勿論である。
【００７０】
また、前述した実施形態では、端子金具１１及び端子固定部１２を二つずつ設けているが、本発明では、端子金具１１及び端子固定部１２を三つずつ以上設けても良い。さらに、前述した実施形態では、係止部４８にガイド突起５３を設け、貫通孔１３ａの内縁にガイド溝５４を設けている。しかしながら、本発明では、貫通孔１３ａの内縁にガイド突起５３を設け、係止部４８にガイド溝５４を設けても良い。
【００７１】
また、本発明では、ガイド突起５３とガイド溝５４の位置を、前述した実施形態に示された位置に限定することなく、適宜、変更しても良いことは勿論である。
【００７２】
さらに、前述した実施形態では、サイドカバー７が端子固定部１２及び端子金具１１を覆う用途で用いられているが、本発明では、これに限らず、サイドカバー７は、種々の用途で用いられても勿論良い。また、前述した実施形態では、サイドカバー７に立設壁４１を設け、外壁８に係止受け部４４を設けているが、本発明では、立設壁４１と係止受け部４４とを必ずしも設けなくても良い。
【００７３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７４】
【図１】本発明の一実施形態に係る電気接続箱の斜視図である。
【図２】図１に示された電気接続箱の分解斜視図である。
【図３】図１に示された電気接続箱の箱本体からサイドカバーを取り外した状態を示す斜視図である。
【図４】図３に示された電気接続箱の端子固定部などを拡大して示す斜視図である。
【図５】図１に示された電気接続箱のサイドカバーを内側からみた斜視図である。
【図６】図４に示された端子固定部などを更に拡大して示す斜視図である。
【図７】図４中のＶＩＩ−ＶＩＩ線に沿う断面図である。
【符号の説明】
【００７５】
１  電気接続箱
１０  ボルト（締結部材）
１１  端子金具
１２  端子固定部（端子固定構造）
１３  電気接触部
１３ａ  貫通孔
４５  取付部
４６  載置部
４８  係止部
５１  被載置部
５２  立設部
５３  ガイド突起
５４  ガイド溝
【図１】
2009170357.tif 000003
【図２】
2009170357.tif 000004
【図３】
2009170357.tif 000005
【図４】
2009170357.tif 000006
【図５】
2009170357.tif 000007
【図６】
2009170357.tif 000008
【図７】
2009170357.tif 000009